(57)【特許請求の範囲】
【請求項１】
周囲を電磁遮蔽層で覆うことにより外部との電波を遮蔽して電波区画の大空間を構成して該電波区画内で親機と子機とによる無線通信システムを実現する電磁遮蔽建物において、
前記電波区画の壁部から立ち上がり電波を遮蔽して前記電波区画を複数の通信区画に分割する電波区画板と、
前記電波区画板に対向する側の壁に配置されて電波を吸収する電波吸収体又は電波を乱反射させる電波乱反射体と
を備え、前記電波区画板と該電波区画板が立ち上がる前記壁部からなる隅に親機を配置することにより、前記電波区画板の延長線上で前記電波区画を分割した通信区画毎に親機と子機とによる無線通信システムを実現するように構成したことを特徴とする電磁遮蔽建物の通信区画構成方法。
【請求項２】
前記電波区画板と該電波区画板が立ち上がる前記壁部に沿って屈曲形状に配置され電波を反射する電波反射板を備え、前記電波区画板の内側に前記隅に背を向けるように親機を配置することを特徴とする請求項１記載の電磁遮蔽建物の通信区画構成方法。
【請求項３】
前記電波乱反射体として、窓部に電波吸収材又は電波反射材からなるブラインドを用いたことを特徴とする請求項２記載の電磁遮蔽建物の通信区画構成方法。
【請求項４】
前記電波区画板を防炎垂壁と兼用したことを特徴とする請求項１記載の電磁遮蔽建物の通信区画構成方法。
【発明の詳細な説明】
【０００１】
【発明の属する技術分野】
本発明は、周囲を電磁遮蔽層で覆うことにより外部との電波を遮蔽して通信区画を構成し該通信区画内で親機と子機とによる無線通信システムを実現する電磁遮蔽建物に関する。
【０００２】
【従来の技術】
大型の事務所や催物を行う建物施設内部では、多くの人間が集中的に様々な業務活動を行う。その際に、近年の携帯電話やＰＨＳ、携帯端末の普及に伴い、業務用の情報伝達の方法として携帯電話又はＰＨＳが電話系情報の伝達手段に、また、携帯端末が電子情報の伝達手段に多用され、これらの伝達に利用される電波が同一空間で同時に行き交うこととなる。このように一空間で、同時に多数の電波を用いる確率が高くなると、利用できる電波資源が限られていることから、内部相互、隣接する建物で利用される同種の無線通信システム相互での電波干渉の発生による通信品質の低下が問題となる。さらには、隣接する建物で利用されるワイヤレスマイクやその他の無線通信機器から放射される各種電波により悪影響を受けるという問題が生じる。したがって、このような電波干渉の発生やノイズ電波等により受ける悪影響の問題を回避するためその対策が必要となる。
【０００３】
【発明が解決しようとする課題】
しかし、例えば隣接する建物で利用される同一無線通信システムなどから受ける影響を排除する対策としては、従来から提案されているように電磁遮蔽層を各窓、壁面、床、天井に配置することで解決できるが、このように電磁遮蔽層で周囲を覆い外部から遮蔽した空間が大空間となる場合には、それを１つの電波区画で運用すると、先に述べたように利用できる電波資源が限られていることから、内部相互での電波干渉等が問題として回避できず、電波区画の大きさに自ずと限度がある。
【０００４】
【課題を解決するための手段】
本発明は、上記課題を解決するものであって、大空間の電波区画においても、簡便な構成により電波区画を分割し電波干渉の発生を抑制できるようにするものである。
【０００５】
そのために本発明は、周囲を電磁遮蔽層で覆うことにより外部との電波を遮蔽して電波区画の大空間を構成して該電波区画内で親機と子機とによる無線通信システムを実現する電磁遮蔽建物において、前記電波区画の壁部から立ち上がり電波を遮蔽して前記電波区画を複数の通信区画に分割する電波区画板と、前記電波区画板に対向する側の壁に配置されて電波を吸収する電波吸収体又は電波を乱反射させる電波乱反射体とを備え、前記電波区画板と該電波区画板が立ち上がる前記壁部からなる隅に親機を配置することにより、前記電波区画板の延長線上で前記電波区画を分割した通信区画毎に親機と子機とによる無線通信システムを実現するように構成したことを特徴とするものである。
【０００６】
さらに、前記電波区画板と該電波区画板が立ち上がる前記壁部に沿って屈曲形状に配置され電波を反射する電波反射板を備え、前記電波反射板の内側に前記隅に背を向けるように親機を配置することを特徴とし、前記電波乱反射体として、窓部に電波吸収材又は電波反射材からなるブラインドを用い、前記電波区画板を防炎垂壁と兼用したことを特徴とするものである。
【０００７】
【発明の実施の形態】
以下、本発明の実施の形態を図面を参照しつつ説明する。
図１は本発明に係る電磁遮蔽建物の通信区画構成方法の実施の形態を示す図であり、１は電磁遮蔽層、２は電波区画板、３−１、３−２は電波反射板、４−１、４−２は親機、５−１、５−２は子機、６は電波吸収体を示す。
【０００８】
図１において、電磁遮蔽層１は、隣接する建物その他の外部からの電波を遮蔽し、独自の電波区画を形成するために周囲を覆うものである。電波区画板２は、電磁遮蔽層１で覆われた電波区画の大空間をその壁際でさらに電波区画Ａ、電波区画Ｂに分割するための壁であり、通信区画を構成する空間の壁部から該通信区画に沿って延び、防炎垂壁を兼ねている。電波反射板３−１、３−２は、反射波の影響による電波干渉を低減させるために電波区画板２のある壁際に配置するものであり、電波区画板２及び壁部に沿って屈曲形状に配置され電波を反射させる。親機４−１、４−２は、指向性アンテナを用い、あるいは指向性を付けるために電波反射板３−１、３−２で囲い、相互の電波干渉を防ぐようにしている。子機５−１、５−２は、電波区画板２で区画された同一電波区画内の親機４−１、４−２と交信するものであり、電波区画板２、電波反射板３−１、３−２、親機４−１、４−２の組み合わせ配置により、他の区画の親機４−１、４−２との交信をできないようにしている。電波吸収体６は、分割された電波区画Ａと電波区画Ｂとの間での電波の反射を低減させる壁面、つまり電波区画板２に対向する側の壁に配置されて電波を吸収し、反射波の影響による電波干渉を低減させるためのものである。
【０００９】
上記のように電波区画板２、電波反射板３−１、３−２、親機４−１、４−２、電波吸収体６を組み合わせ配置することにより、大空間の電波区画を任意の小さい電波区画に分割することができる。すなわち、図１に示すように親機４−１、４−２は、電波反射板３−１、３−２で囲って電波区画板２と壁面からなる隅に背を向けるようにすることにより、電波区画板２の延長線上で通信区画を分割した分割通信区画Ａ、Ｂとして、親機４−１、４−２からの電波は、それぞれに区画される内側にのみ放射されるようにすると共に、電波吸収体６は、その電波が当該分割電波区画外の他の分割電波区画の反射波となる壁面に配置し、電波を吸収（減衰）させる。
【００１０】
図２は本発明に係る電磁遮蔽建物の通信区画構成方法の他の実施の形態を示す図であり、１１は電波乱反射体を示す。
図２において、電波乱反射体１１は、凹凸のある電波反射体又は電波吸収体を用いるものであり、電波を乱反射させて平均的に反射電波のレベルを下げるものである。なお、窓部に配置する電波乱反射体１１としては、例えば凹凸のある材料で構成されるブラインドがあり、ブラインドの構成材をＲ型（湾曲型）形状の金属板としたり、電波吸収材とすることにより実現できる。
【００１１】
図３は本発明に係る電磁遮蔽建物の通信区画構成方法の吹き抜け空間に適用した他の実施の形態を示す図であり、２１は電波区画板、２２は電波吸収体、２３は電波反射板、２４は親機、２５は屋上床、２６は外壁、２７はホール天井床、２８は階層区画床スラブを示す。
図３において、電波区画板２１は、各階の吹き抜け空間側に配置し、電波反射板２３、親機２４は、その内側に配置し、電波吸収体２２は、電波区画板２１、電波反射板２３、親機２４の反対側の壁に配置するものである。これらの配置により、吹き抜け空間側に電波の隙間があっても、図示のようにその両側の各階の部屋、ホールをそれぞれ独立した通信区画として構成することができる。建物全体については、屋上床２５、外壁２６、ホール天井床２７、階層区画床スラブ２８のそれぞれに電磁遮蔽層を設けることにより、それぞれの空間、建物全体が電磁遮蔽空間として構成される。しかし、階層区画床スラブ２８の電磁遮蔽層は、上下階の間を別の電磁遮蔽空間とするために必要であるが、他の屋上床２５、外壁２６、ホール天井床２７は、周囲の電波利用状況等により電磁遮蔽層を省略してもよい。
【００１２】
なお、本発明は、上記実施の形態に限定されるものではなく、種々の変形が可能である。例えば上記実施の形態では、電波吸収体や電波乱反射体を電磁遮蔽層の上に設けるようにしたが、電波吸収体や電波乱反射体を設けた部分においては、電磁遮蔽層を省くようにしてもよいことはいうまでもない。また、電波区画板を防炎垂壁との兼用としたが、電波区画板と防炎垂壁は、全く独立に考えてそれぞれに応じた配慮を行うようにするものであってもよい。
【００１３】
【発明の効果】
以上の説明から明らかなように、本発明によれば、電波区画の壁部から立ち上がり電波を遮蔽して電波区画を複数の通信区画に分割する電波区画板と、電波区画板に対向する側の壁に配置されて電波を吸収する電波吸収体又は電波を乱反射させる電波乱反射体とを備え、電波区画板と該電波区画板が立ち上がる壁部からなる隅に親機を配置することにより、電波区画板の延長線上で電波区画を分割した通信区画毎に親機と子機とによる無線通信システムを実現するように構成したので、電波区画板により簡便に通信区画の分割を行うことができ、電波のより有効な利用を図ることができる。さらに、配線替え等を小規模で済ませることができ、電波区画の分割に要するコストの低減、電波区画の分割による業務効率の向上を図ることができる。
【図面の簡単な説明】
【図１】  本発明に係る電磁遮蔽建物の通信区画構成方法の実施の形態を示す図である。
【図２】  本発明に係る電磁遮蔽建物の通信区画構成方法の他の実施の形態を示す図である。
【図３】  本発明に係る電磁遮蔽建物の通信区画構成方法の吹き抜け空間に適用した他の実施の形態を示す図である。
【符号の説明】
１…電磁遮蔽層、２…電波区画板、３−１、３−２…電波反射板、４−１、４−２…親機、５−１、５−２…子機、６…電波吸収体
【図１】
0003637525.tif 000002
【図２】
0003637525.tif 000003
【図３】
0003637525.tif 000004